(57)【要約】【課題】アナログ放送しか受信できない既存のテレビ装置２では、地上デジタル放送が開始されると、デジタルチューナ３を設けて、そのデジタルチューナ３のＲＦコンバータ３２から出力される信号をテレビ装置２に入力させる必要が生じる。赤外線式のリモコン２１では赤外線が浴室１の外側に行かないので浴室１の外側に設置されたデジタルチューナ３の操作をすることができない。【解決手段】信号が重畳された赤外線を受光して、その信号を電波に重畳させて発信する中継ユニット４を浴室１内に設けて、この中継ユニット４から発信される電波を受信部３１で受信して、赤外線式のリモコン２１でデジタルチューナ３の操作ができるようにした。【選択図】  図１
2006304097.tif 000002
【特許請求の範囲】
【請求項１】
アナログ放送を受信可能なテレビ装置が設置された浴室の外部に配置することができ、このテレビ装置が受信できないデジタル放送を受信可能なデジタルチューナと、デジタルチューナの出力信号を上記テレビ装置が受信できるアナログ信号に変換するＲＦコンバータとを有すると共に、浴室内の赤外線式リモコンから射出される赤外線を受光し、その赤外線に重畳されている信号と同義の電波を発信して上記デジタルチューナの操作を行う中継ユニットを備えたことを特徴とするデジタル放送受信システム。
【請求項２】
上記中継ユニットは浴室内の壁面に着脱自在に取り付けられることを特徴とする請求項１に記載のデジタル放送受信システム。
【請求項３】
上記中継ユニットには太陽電池が取り付けられ、この太陽電池が発電する電力によって中継ユニットが作動することを特徴とする請求項１または請求項２に記載のデジタル放送受信システム。
【請求項４】
上記赤外線リモコンは、上記テレビ装置の操作を行うことができることを特徴とする請求項１から請求項３のいずれかに記載のデジタル放送受信システム。
【発明の詳細な説明】
【技術分野】
【０００１】
本発明は、浴室にすでに設置されているアナログ放送対応のテレビ装置でデジタル放送を鑑賞することのできるデジタル放送受信システムに関する。
【背景技術】
【０００２】
従来より浴室内にテレビ装置を取り付けて入浴中にテレビ放送を鑑賞することができるようにしたものが知られている。これらテレビ装置の多くはアナログ放送にしか対応しておらず、地上デジタル放送を受信できない。
【０００３】
地上デジタル放送は平成１５年から開始され平成１８年には全国に拡がり、更に平成２３年には地上アナログ放送が廃止される予定である。
【０００４】
このようにテレビ放送が地上アナログ放送から地上デジタル放送に移行していくと、地上デジタル放送を鑑賞するためにはテレビ装置自体を地上デジタル放送に対応したものに交換するか、テレビ装置とアンテナとの間にデジタルチューナを介在させる必要が生じる。
【０００５】
デジタルチューナを介在させる場合には、デジタルチューナを浴室の外部に設置する必要があるが、チャンネルの切替などはテレビ装置ではなくデジタルチューナに対して行う必要がある。
【０００６】
浴室に新たに通信ケーブルを通す穴を開けることなく、浴室内から浴室外の機器の作動をコントロールするものとして電波を用いたリモコンが知られている（例えば、特許文献１参照）。
【特許文献１】特開２００４−１７７１０１号公報（段落００１５，００１６）
【発明の開示】
【発明が解決しようとする課題】
【０００７】
テレビ装置やデジタルチューナのリモコンは赤外線式のものがほとんどであり、浴室にすでに取り付けられているテレビ装置のリモコンも赤外線式である場合が一般的である。そのため、デジタルチューナ用に電波式のリモコンを用いると、既設のテレビ装置のリモコンとデジタルチューナ用のリモコンとの２台のリモコンを必ず用いなければならないという不具合が生じる。
【０００８】
そこで本発明は、上記の問題点に鑑み、赤外線式のリモコンを用いても浴室に新たに穴を設けることなく浴室内からデジタルチューナの操作を行うことのできるデジタル放送受信システムを提供することを課題とする。
【課題を解決するための手段】
【０００９】
上記課題を解決するために本発明によるデジタル放送受信システムは、アナログ放送を受信可能なテレビ装置が設置された浴室の外部に配置することができ、このテレビ装置が受信できないデジタル放送を受信可能なデジタルチューナと、デジタルチューナの出力信号を上記テレビ装置が受信できるアナログ信号に変換するＲＦコンバータとを有すると共に、浴室内の赤外線式リモコンから射出される赤外線を受光し、その赤外線に重畳されている信号と同義の電波を発信して上記デジタルチューナの操作を行う中継ユニットを備えたことを特徴とする。
【００１０】
赤外線式のリモコンから射出される赤外線に重畳された信号は中継ユニットで電波に重畳されデジタルチューナに発信される。このため赤外線式のリモコンに対して行った操作内容を、浴室の壁に穴を開けることなく浴室外のデジタルチューナに到達させることができる。
【００１１】
上記中継ユニットは浴室内の壁面に着脱自在に取り付けられるようにしてもよい。
【００１２】
また、上記中継ユニットには太陽電池が取り付けられ、この太陽電池が発電する電力によって中継ユニットが作動するようにしてもよい。
【００１３】
上記赤外線リモコンは、上記テレビ装置の操作を行うことができるようにしてもよい。
【発明の効果】
【００１４】
以上の説明から明らかなように、本発明は、浴室内で使用されるリモコンが赤外線式のものであっても、赤外線に重畳されている信号を中継ユニットによって電波に重畳させるので、デジタルチューナを浴室の外側に設置していても、浴室の壁に穴などを開けることなく、赤外線式リモコンを用いて浴室外のデジタルチューナの操作を行うことができる。また、中継ユニットが別体であれば、既存のリモコンはそのままで中継ユニットを後付けすればよく、リモコンを交換しなくてもよい。
【発明を実施するための最良の形態】
【００１５】
図１を参照して、１は浴室であり、この浴室１の内壁面にはテレビ装置２は取り付けられている。このテレビ装置２は地上アナログ放送の電波が入力されるアンテナ入力端子を備えており、そのアンテナ入力端子から入力されるアナログ放送信号を再生して画像を表示し、あるいはテレビ音声を発音するものである。
【００１６】
このテレビ装置の操作は赤外線式のリモコン２１によって行われる。このリモコン２１は防水構造が採用されている。このリモコン２１を操作することによりテレビ装置２の電源のオン／オフ、音量の増減、チャンネルの切替等を行うことができる。なお、テレビ装置２は地上アナログ放送専用の装置であるため、チャンネルは１から１２までしか選択することができない。これに対してリモコン２１は１から１２までのほかに、地上デジタル放送で採用されるＵＨＦ領域のチャンネルも操作できるように構成されている。なお、このＵＨＦ領域のチャンネルをリモコン２１で選択してもテレビ装置２はこのＵＨＦ領域に対応していないのでチャンネルが切り替わることはない。
【００１７】
３はデジタルチューナであり、浴室１の外部に設置されている。本実施の形態では浴室１の天井裏に設置したが、適宜の場所に設置してよい。このデジタルチューナ３には制御用の電波を受信する受信部３１が設けられている。また、デジタル放送用のデジタル信号を受信して画像信号と音声信号とを生成したあと、それら両信号をテレビ装置２のアンテナ入力端子に入力可能な信号に変換するＲＦコンバータ３２を備えている。
【００１８】
このデジタルチューナ３は上述のように受信部３１で受信される電波によって、チャンネルの切替などの制御がされる。
【００１９】
浴室１内にはこの受信部３１に電波を発信する中継ユニット４が取り付けられている。この中継ユニット４は浴室１内の照明部１１の近傍に設置することが望ましい。
【００２０】
図２を参照して、中継ユニット２は裏面に永久磁石４１を備えている。浴室１の壁面は鋼板で形成されており、中継ユニット４はこの永久磁石４１の磁力により浴室１の壁面に対して自由に着脱することができる。なお、永久磁石４１の代わりに吸盤を用いてもよく、その場合には浴室１の壁面が鋼板で形成されていなくても、中継ユニット２を所望の位置に着脱自在に取り付けることができる。
【００２１】
また、中継ユニット４の前面には太陽電池４２が設けられており、上記のようにこの中継ユニット４を照明部１１の近傍に取り付けると、照明部１１からの光により太陽電池４２が発電し、その発電した電力によって中継ユニット４が作動する。この中継ユニット４の前面下部には受光部４３が設けられており、上記リモコン２１から射出された赤外線をこの受光部４３で受光するように構成されている。
【００２２】
受光部４３で赤外線が受光されると、その赤外線に重畳されている信号を分離し、更にその信号を重畳させた電波を発信する。したがって、リモコン２１で例えばチャンネルを切り替える操作をすると、リモコン２１から射出された赤外線が一旦中継ユニット４に受光され、同じ信号が重畳された電波が中継ユニット４から発信されることになる。
【００２３】
中継ユニット４から発信された電波は上記受信部３１で受信されるので、リモコン２１でデジタル放送の所望のチャンネルに切り替える操作をすると中継ユニット４を中継してその信号がデジタルチューナ３に到達し、デジタルチューナ３のチャンネルがその選択されたチャンネルに切り替わる。なお、このときテレビ装置２のチャンネルは１または２に設定しておき、ＲＦコンバータ３２から入力される信号を再生できる状態にしておく。
【００２４】
このようにＵＨＦ領域のデジタル放送のチャンネルをリモコン２１で選択しても上述のようにテレビ装置２のチャンネルは１または２のまま切り替わらない。また、テレビ装置２の音量の増減はリモコン２１で行うことができる。
【００２５】
なお、上記実施の形態では中継ユニット４の前面に太陽電池４２を設けたが、図３に示すように、中継ユニット４ａの裏面に太陽電池４２を設けると共に、永久磁石４１の代わりに吸盤４４を取り付け、図４に示すように、照明部１１に中継ユニット４ａを取り付けるようにしてもよい。このように構成すれば、照明部１１の光をより強く太陽電池４２に入光させることができる。
【００２６】
ところで、テレビ装置２には化粧用のカバーが装着されている場合があり、その場合には赤外線受光部をカバーに取り付けたものを用意し、既存のカバーと、この赤外線受光部を備えたカバーとを交換するようにしてもよい。このようにカバーの交換によって赤外線受光部を設ければ、上述の永久磁石や吸盤を用いる必要がない。
【００２７】
なお、本発明は上記した形態に限定されるものではなく、本発明の要旨を逸脱しない範囲内において種々の変更を加えてもかまわない。
【図面の簡単な説明】
【００２８】
【図１】本発明の一実施の形態の構成を示す図
【図２】中継ユニットの詳細を示す図
【図３】中継ユニットの他の形態を示す図
【図４】他の形態の中継ユニットの取付状態を示す図
【符号の説明】
【００２９】
１  浴室
２  テレビ装置
３  デジタルチューナ
４  中継ユニット
４ａ  中継ユニット
【図１】
2006304097.tif 000003
【図２】
2006304097.tif 000004
【図３】
2006304097.tif 000005
【図４】
2006304097.tif 000006